(57)【要約】【課題】モバイル機器をパネリストのプロフィールに関連付ける方法及び装置を提供すること。【解決手段】例示的な方法は、モバイル機器において計測アプリケーションを初期化して部分的な機能で作動させるステップと、計測アプリケーションでメッセージログを解析してインストールメッセージを特定するステップと、インストールメッセージから電話番号を抽出してモバイル機器のメモリに保存するステップと、抽出された電話番号に基づく初期化メッセージを送信して権限付与メッセージを促すステップと、権限付与メッセージを受信するのに応じて計測アプリケーションの完全な機能を有効化するステップとを含む。【選択図】  図２
2012249289.tif 000002
【特許請求の範囲】
【請求項１】
モバイル機器内で計測アプリケーションを条件付きで有効化する方法であって、
前記モバイル機器において計測アプリケーションを初期化して部分的な機能で作動させるステップと、
前記計測アプリケーションでメッセージログを解析してインストールメッセージを特定するステップと、
前記インストールメッセージから電話番号を抽出して前記モバイル機器のメモリに保存するステップと、
前記抽出された電話番号に基づく初期化メッセージを送信して、権限付与メッセージを促すステップと、
前記権限付与メッセージを受信するのに応じて、前記計測アプリケーションの完全な機能を有効化するステップと
を含む方法。
【請求項２】
前記メッセージログが、テキストメッセージ履歴ログ及び電子メール履歴ログの少なくとも１つを含む、請求項１に記載の方法。
【請求項３】
前記部分的な機能が有効化されている時はセンサによる記録が無効化される、請求項１に記載の方法。
【請求項４】
前記センサによる記録が、マイクロフォンによる録音、画像の記録、全地球測位衛星による記録、コンパスによる記録、又は加速度計による記録、の少なくとも１つを含む、請求項３に記載の方法。
【請求項５】
前記完全な機能が有効化されるとセンサによる記録が有効化される、請求項３に記載の方法。
【請求項６】
前記計測アプリケーションが、アプリケーションリポジトリ又はウェブサイトユニフォームリソースロケータの少なくとも１つから前記モバイル機器にダウンロードされる、請求項１に記載の方法。
【請求項７】
モバイル機器内で計測アプリケーションに条件付きで権限を付与する方法であって、
候補パネリストから人口学的情報及び第１の電話番号を受信するのに応じてインストールメッセージを送信するステップであり、前記インストールメッセージは前記第１の電話番号を宛先とする、ステップと、
前記計測アプリケーションのインストールの成功を伝える初期化メッセージを検出するステップと、
前記初期化メッセージを検出するのに応じて前記第１の電話番号に権限付与メッセージを送信するステップであり、前記権限付与メッセージは前記計測アプリケーションに監視データの収集を開始させる、ステップと
を含む方法。
【請求項８】
前記権限付与メッセージの送信に応答する肯定応答メッセージがあるかどうかを監視するステップをさらに含む、請求項７に記載の方法。
【請求項９】
前記肯定応答メッセージを受信するのに応じて前記候補パネリストを承認パネリストに昇格させるステップをさらに含む、請求項８に記載の方法。
【請求項１０】
前記肯定応答メッセージが閾値期間内に受信されない場合に前記候補パネリストに電子メールメッセージを送信するステップをさらに含む、請求項８に記載の方法。
【請求項１１】
前記電子メールメッセージが、前記計測アプリケーションの権限付与が不成功であった旨の通知を含む、請求項１０に記載の方法。
【請求項１２】
前記肯定応答メッセージが閾値期間内に受信されない場合に、前記インストールメッセージの受信に関連付けられた第２の電話番号に関連付けられた発呼者識別情報を取得するステップをさらに含む、請求項８に記載の方法。
【請求項１３】
前記第１の電話番号と前記第２の電話番号を比較するステップと、
前記第１の電話番号と第２の電話番号が一致しない場合、前記第２の電話番号への招待メッセージを生成するステップと
をさらに含む、請求項１２に記載の方法。
【請求項１４】
前記第１の電話番号と第２の電話番号が一致しない場合に、損なわれたインストールメッセージを特定するステップをさらに含む、請求項１３に記載の方法。
【請求項１５】
実行されると機械に、少なくとも、
前記モバイル機器において計測アプリケーションを初期化して部分的な機能で作動させ、
前記計測アプリケーションでメッセージログを解析してインストールメッセージを特定し、
前記インストールメッセージから電話番号を抽出して前記モバイル機器のメモリに保存し、
前記抽出された電話番号に基づく初期化メッセージを送信して、権限付与メッセージを促し、
前記権限付与メッセージを受信するのに応じて、前記計測アプリケーションの完全な機能を有効化させる
命令が記憶された、機械によるアクセスが可能な有形の媒体。
【請求項１６】
前記命令は実行されると前記機械に、前記部分的な機能が有効化されている時はセンサによる記録を無効化させる、請求項１５に記載の有形の製造品。
【請求項１７】
前記命令は実行されると前記機械に、前記完全な機能が有効化されるとセンサによる記録を有効化させる、請求項１５に記載の有形の製造品。
【請求項１８】
前記命令は実行されると前記機械に、アプリケーションリポジトリ又はウェブサイトユニフォームリソースロケータの少なくとも１つから前記計測アプリケーションを前記モバイル機器にダウンロードさせる、請求項１５に記載の有形の製造品。
【請求項１９】
実行されると機械に、少なくとも、
候補パネリストから人口学的情報及び第１の電話番号を受信するのに応じてインストールメッセージを送信するステップであり、前記インストールメッセージは前記第１の電話番号を宛先とする、ステップと、
前記計測アプリケーションのインストールの成功を伝える初期化メッセージを検出するステップと、
前記初期化メッセージを検出するのに応じて前記第１の電話番号に権限付与メッセージを送信するステップであり、前記権限付与メッセージは前記計測アプリケーションに監視データの収集を開始させる、ステップと
を行わせる命令が記憶された、機械によるアクセスが可能な有形の媒体。
【請求項２０】
前記命令は実行されると前記機械に、前記権限付与メッセージの送信に対する肯定応答メッセージがあるかどうかを監視させる、請求項１９に記載の有形の製造品。
【請求項２１】
前記命令は実行されると前記機械に、前記肯定応答メッセージを受信するのに応じて前記候補パネリストを承認パネリストに昇格させる、請求項２０に記載の有形の製造品。
【請求項２２】
前記命令は実行されると前記機械に、前記肯定応答メッセージが閾値期間内に受信されない場合に前記候補パネリストに電子メールメッセージを送信させる、請求項２０に記載の有形の製造品。
【請求項２３】
前記命令は実行されると前記機械に、前記肯定応答メッセージが閾値期間内に受信されない場合に、前記インストールメッセージの受信に関連付けられた第２の電話番号に関連付けられた発呼者識別情報を取得させる、請求項２０に記載の有形の製造品。
【請求項２４】
前記命令は実行されると前記機械に、
前記第１の電話番号と前記第２の電話番号を比較し、
前記第１の電話番号と第２の電話番号が一致しない場合、前記第２の電話番号への招待メッセージを生成させる
請求項２３に記載の有形の製造品。
【請求項２５】
モバイル機器内で計測アプリケーションを条件付きで有効化する装置であって、
部分的な機能で初期化される前記モバイル機器内の計測アプリケーションと、
インストールメッセージを特定し、前記インストールメッセージから電話番号を抽出するインストールメッセージパーサと、
前記抽出された電話番号に基づいて初期化メッセージを送信して、前記計測アプリケーションの完全な機能を有効化する権限付与メッセージを促すモバイルメッセージジェネレータと
を備える装置。
【請求項２６】
前記モバイル機器が、前記インストールメッセージパーサによって解析される、テキストメッセージ履歴ログ及び電子メール履歴ログの少なくとも１つを含む、請求項２５に記載の装置。
【請求項２７】
前記初期化メッセージを生成するモバイルユニフォームリソース識別子ジェネレータをさらに備える、請求項２５に記載の装置。
【請求項２８】
モバイル機器内で計測アプリケーションに条件付きで権限を付与する装置であって、
候補パネリストから人口学的情報及び第１の電話番号を受信するのに応じてインストールメッセージを送信する登録サーバであり、前記インストールメッセージは前記第１の電話番号を宛先とする、登録サーバと、
前記計測アプリケーションのインストールの成功を伝える初期化メッセージを検出する計測サーバマネジャと、
前記初期化メッセージを検出するのに応じて前記第１の電話番号に権限付与メッセージを送信するサーバ権限付与メッセージジェネレータであり、前記権限付与メッセージは前記計測アプリケーションに監視データの収集を開始させる、サーバ権限付与メッセージジェネレータと
を備える装置。
【請求項２９】
前記インストールメッセージを生成するショートメッセージサービスジェネレータをさらに備える、請求項２８に記載の装置。
【請求項３０】
前記インストールメッセージが成功しなかった旨の通知に応じてＨＴＴＰ要求メッセージを生成するユニフォームリソース識別子ジェネレータをさらに備える、請求項２９に記載の装置。
【発明の詳細な説明】
【技術分野】
【０００１】
[0001]本開示は、一般にはモバイル機器の監視に関し、より詳細には、モバイル機器をパネリストのプロフィールに関連付ける方法及び装置に関する。
【背景技術】
【０００２】
[0002]近年、モバイルアプリケーション（「アプリ」と呼ばれることもある）は、ワイヤレス電話などのモバイル機器にはおなじみの状況となっている。ワイヤレスサービスの提供者、ワイヤレス機器の製造者、及び／又はその他はモバイルアプリケーションを開発及び／又は配布して、モバイル機器のユーザに対して１つ又は複数の機能を容易にすることができる。また、１つ又は複数のサービス及び／又は機能を提供する、モバイル機器で動作するモバイルアプリケーションを、１つ又は複数のサードパーティが開発及び／又は配布することができる。
【０００３】
[0003]モバイルアプリケーションによって容易になるサービス及び／又は機能には、これらに限定されないが、娯楽（例えばゲームや映画）、銀行取引（例えば残高管理や送金）、ナビゲーション（例えば地図や道案内）、写真、及び／又はソーシャルメディア等がある。モバイル機器のオペレーティングシステムは、モバイルアプリケーションを実行し、モバイル機器が本来備える１つ又は複数の機能へのアクセスを許すことができる。モバイル機器が本来備える機能には、これらに限定されないが、放送無線、音声情報、及び／又はデータ情報を送受信するためのワイヤレス無線機、モバイル機器の位置を特定するＧＰＳ機能、写真及び／又は映像の記録を助けるカメラハードウェア、（１つ又は複数の）光センサ、音声出力を助けるスピーカ及び／又はヘッドフォン、及び／又は音声の取り込みを助けるマイクロフォンなどが挙げられる。
【０００４】
[0004]いくつかの例では、ワイヤレスサービス提供者、ワイヤレス機器の製造者、及び／又は他の者によって提供されるモバイルアプリケーションは、ワイヤレスアプリケーションの市場を通じて消費者に配布される。例えば、アンドロイド（Ａｎｄｒｏｉｄ）（登録商標）オペレーティングシステムは、アンドロイド機器のユーザが利用できるアプリケーションの市場を含んでおり、モバイルアプリケーションの検索、レビュー、評価付け、購入、及び／又はインストールが可能となっている。別の例では、アップル（Ａｐｐｌｅ）（登録商標）製造のワイヤレス機器では、アイチューンズ（ｉＴｕｎｅｓ）（登録商標）という名称のインタフェースを通じてユーザをＡｐｐＳｔｏｒｅに導き、及び／又は機器上のＡｐｐＳｔｏｒｅインタフェースを支援して、アプリケーションの送信、受信、評価付け、購入、及び／又はインストールを可能にしている。さらに他の例では、他パーティが、モバイル機器のユーザにユニフォームリソース識別子（ＵＲＩ）を提供し、そのＵＲＩにモバイル機器が移動し、１つ又は複数のモバイルアプリケーションをインストールすることができる。
【図面の簡単な説明】
【０００５】
【図１】[0005]  ハードウェア及びオペレーティングシステムを有するモバイル機器の模式図である。
【図２】[0006]  モバイル機器とパネリストのプロフィールの関連付けを容易にする例示的システムの模式図である。
【図３】[0007]  図２に示す例示的システムの要素間の例示的通信を表すメッセージダイアグラムである。
【図４】[0007]  図２に示す例示的システムの要素間の例示的通信を表すメッセージダイアグラムである。
【図５】[0008]図２に示す例示的システムによって実行可能な例示的機械可読命令を表すフローチャートである。
【図６】[0008]図２に示す例示的システムによって実行可能な例示的機械可読命令を表すフローチャートである。
【図７】[0008]図２に示す例示的システムによって実行可能な例示的機械可読命令を表すフローチャートである。
【図８】[0008]図２に示す例示的システムによって実行可能な例示的機械可読命令を表すフローチャートである。
【図９】[0009]  本明細書に記載の例示的方法、システム、及び／又は装置のいずれか又はすべてを実施するための図５〜８の命令を実行することが可能な例示的プロセッサプラットフォームの模式図である。
【発明を実施するための形態】
【０００６】
[0001]モバイル機器をパネリストのプロフィールと関連付ける方法及び装置が開示される。例示的な方法は、モバイル機器において計測アプリケーションを初期化して部分的な機能で作動させるステップと、計測アプリケーションでメッセージログを解析してインストールメッセージを特定するステップと、インストールメッセージから電話番号を抽出してモバイル機器のメモリに保存するステップと、抽出された電話番号に基づく初期化メッセージを送信して、権限付与メッセージを促すステップと、権限付与メッセージを受信するのに応じて、計測アプリケーションの完全な機能を有効化するステップとを含む。
【０００７】
[0002]モバイル機器の１つ又は複数の機能を使用して、パネリストの活動を検出及び／又は記録する、機器内計測（ｏｎ−ｄｅｖｉｃｅ  ｍｅｔｅｒｉｎｇ）（ＯＤＭ）を行うモバイルアプリケーションが開発されている。開示されるいくつかの例では、ＯＤＭは、全地球測位衛星（ＧＰＳ）機能を利用してパネリストがいる場所を特定し、及び／又はモバイル機器のマイクロフォンを用いて、パネリストがさらされている音声情報をサンプリングする。開示される他の例では、ＯＤＭは、パネリストがどのようにモバイル機器と対話するかを監視し、例えば、パネリストが訪問するウェブサイト、使用の日時、キーの押下、モバイル機器の機能（例えば通話／着信、テキストメッセージ等）の監視、環境についての詳細（例えば局所的な照明条件、局所的な音声条件、現在の速度、音量、音声サンプル等）の収集、及び／又はモバイル機器の１つ又は複数のセンサにアクセスして環境についての詳細を記録する。パネリストの挙動についての情報を求める市場調査者及び／又は他のパーティ／エンティティは、ＯＤＭアプリケーションで監視されることに同意する、自発的な参加者と協力する。市場調査者によって収集された情報の一部は、監視対象のパネリスト層において検出された使用状況及び／又は媒体への露出挙動から、興味のあるより大きな母集団を予想（例えば（１つ又は複数の）統計的手法を用いた推定）するのに使用することができる。
【０００８】
[0003]しかし、そのような統計的予想を引き出すには、参加パネリストを正確且つ簡便に特定しなければならない。候補パネリストがデータ入力を煩雑すぎると感じれば、その候補パネリストを承認（参加）パネリストに転換する機会が失われる可能性がある。その結果、人を募集してパネル調査に参加させることになる。そのような人々（「候補パネリスト」）は、監視システムに登録するように求められる。その過程の一部として、候補パネリストは、人口学的情報（例えば収入、性別、人種等）及び／又は他の識別情報（氏名、電子メール等）を提供するように求められる場合がある。例えば、ＯＤＭアプリケーションから収集されるデータを該当パネリストに関連付けられるように、パネリストのモバイル機器を何らかの識別子に関連付ける必要がある。そのように、パネリストの募集を試みる過程（例えば候補パネリストを参加パネリストに転換する過程）は、通例、著しい量のデータ収集を伴う。さらに、収集すべきデータの中には、取得が容易でないものや候補パネリストにすぐには分からないものもありうる。例えば、モバイル機器は、国際モバイル機器識別（ＩＭＥＩ）番号、電子シリアル番号（ＥＳＮ）、国際モバイル加入者識別（ＩＭＳＩ）番号等で識別される場合もあるが、これらは候補パネリストには容易には分からない。候補パネリストによるパネル調査への参加は、煩わしく冗長と見なされる、又は候補パネリストが知らない、そのような数値及び／又は英数文字値を特定及び／又は他の方法で見つけるための追加的な過程を行うことに興味が持てないことによって、頓挫する可能性がある。例えば、候補パネリストが入力すべき情報が、冗長な及び／又は入手が難しい（例えば、ＩＭＥＩ番号を確認するために電話機の電源を切り、電池カバーを外すなど）ために、参加が頓挫する可能性がある。候補パネリストに課される能動的な要件は、一つには、設定作業に煩わされることの苦労が原因で、パネリストの参加を減らす傾向にある。
【０００９】
[0004]本明細書に開示される例示的な方法、装置、及び／又は製造品は、パネリストが電話番号などの一般的に知られている機器情報を提供できるようにし、その後アプリケーションを使用してＩＭＥＩ番号などの一般にはあまり知られていない情報を自動的に取り出すことにより、上記のような問題を克服する。そのような例では、（例えば自宅ＰＣを介した）候補パネリスト情報の入力時に、パネリストは、自身のモバイル機器に関連付けられた電話番号（一般的に知られている情報）を提供する。その入力の後に、例示的なＯＤＭサーバが、提供された電話番号を使用して、例えばショートメッセージサービス（ＳＭＳ）メッセージを対応するモバイル機器に転送する。そのような例のＳＭＳ（テキスト）メッセージはリンクを含んでおり、そのリンクを選択してＯＤＭアプリケーションをダウンロードすることができる。本明細書に開示される例では、モバイル機器をパネリストのプロフィールに関連付けるために、ＯＤＭアプリケーションは、モバイル機器の電話番号と共にユーザ識別子をＯＤＭサーバに送り返す。しかし、一部の状況では、モバイル機器で動作するＯＤＭアプリケーションは、少なくとも最初はモバイル機器の電話番号を認識していない。例えば、モバイル機器は、モバイル機器の電話番号を明らかにしうるオペレーティングシステム及び／又はハードウェアの１つ又は複数のリソースへのアプリケーションのアクセスを制限する場合がある。状況によっては、モバイル機器の１つ又は複数のセキュリティポリシーが、モバイル機器、ＯＳ、及び／又はその機能の１つ又は複数の部分にアプリケーションがアクセスする能力を制限する。さらに他の状況では、ワイヤレスサービスの提供者がＩＭＥＩ番号などの代替の識別子を使用してモバイル機器のすべての通信を変換するために、モバイル機器自体は自身の電話番号を入手する必要がない、及び／又は自身の電話番号を知らない場合がある。すなわち、ワイヤレス電話などのモバイル機器は、通例は電話番号に関連付けられて他人がそのモバイル機器に通話できるようにするが、電話番号とモバイル機器を鳴らす番号との関連付けは、ワイヤレスサービス提供者の基幹設備内で行われる場合がある。そのため、モバイル機器及び／又はモバイル機器で実行される（１つ又は複数の）アプリケーションは、そのモバイル機器に関連付けられた電話番号を入手することができない、或いは電話番号を知らない場合がある。
【００１０】
[0005]図１は、例示的モバイル機器１００の模式図であり、ハードウェア１０２、オペレーティングシステム（ＯＳ）１０４、１つ又は複数のコア層１０６、及び１つ又は複数のパブリック層１０８を含む。モバイル機器１００の例示的ハードウェア１０２は、これらに限定されないが、例えば汎用パケット無線サービス（ＧＰＲＳ）ネットワーク内で動作する送信機及び受信機、アンテナ素子（複数可）、プロセッサ（複数可）、ＳＩＭカード（複数可）、デジタル信号プロセッサ（ＤＳＰ）（複数可）、メモリ（例えばランダムアクセスメモリ、フラッシュメモリ等）（複数可）、入力／出力装置（複数可）等を含むことができる。図１の例示的ＯＳ１０４は、例示的コア層１０６（複数可）及び／又はパブリック層１０８（複数可）がハードウェア１０２にアクセスする、及び／又はＯＳ１０４に関連付けられた（１つ又は複数の）機能にアクセスすることを可能にする１つ又は複数のアクセスポリシーを設定又は有効化する。例えば、コア層１０６（複数可）は、ハードウェア１０２及び／又はＯＳ１０４への制約のないアクセスを有することができるが、パブリック層１０８（複数可）は、ハードウェア１０２のサブセット及び／又はＯＳ１０４の一部に限定される場合がある。いくつかの例では、パブリック層１０８（複数可）へのアクセスは、ユーザ／プログラマに関数呼び出しを提供するアプリケーションプログラミングインタフェース（ＡＰＩ）及び／又はソフトウェア開発キット（ＳＤＫ）によって支援される。ハードウェア１０２及び／又はＯＳ１０４への制約のないアクセスは、例えばモバイル機器１００に記憶された他のデータのプライバシーを守るなどの様々な理由から、モバイル機器１００の製造者及び／又はサービス提供者によって阻止される場合がある。
【００１１】
[0006]他の例では、コア層１０６（複数可）は、モバイル機器１００のディスプレイに電話番号を表示する目的で、モバイル機器１００に関連付けられた電話番号を入手できる場合がある。しかし、例示的モバイル機器１００は、例えばモバイル機器１００とそれが動作しているネットワークがモバイル機器１００のＩＭＥＩ番号を用いて呼及び／又はテキストメッセージを送受信しているために、電話番号に対してその他の必要性や実用性を持たない場合がある。発呼者の識別変換（例えば電話番号からＩＭＥＩ番号への変換）は、一部の例では、モバイル機器１００のサービス提供者によって維持及び／又は他の形で管理される１つ又は複数のＩＭＥＩ探索表を介して行われる。
【００１２】
[0007]本明細書に開示される例示的方法、装置、及び／又は製造品を使用して、モバイル機器で動作するＯＤＭアプリケーションに、モバイル機器に関連付けられた電話番号を取得させる、及び／又はその他の形で電話番号を認識させることができる。いくつかの例では、ＯＤＭアプリケーションが電話番号を取得及び／又は他の形で識別した後、モバイル機器で動作するＯＤＭアプリケーションをＯＤＭサーバに登録することができ、パネリストは、モバイル機器のユーザをパネリストのプロフィールに関連付けるＯＤＭアプリケーション登録過程（例えば候補パネリストからパネリストへの変換を完了する）中にさらなる（１つ又は複数の）動作を行う必要はない。すなわち、本明細書に開示される例示的な方法、装置、及び／又は製造品は自動的にモバイル機器をＯＤＭサーバに登録し、パネリストが、パネリストと、モバイル機器と、並びに／又はパネリスト及びモバイル機器に関連付けられた情報との関連付けを特定することができる、モバイル機器に関連付けられた１つ又は複数の一般にあまり知られていない番号を手動で特定することを必要としない。上記のように、モバイル機器は一意のＩＭＥＩ番号及び／又はＥＳＮを有するが、そのような一般にはあまり知られていない例示的な番号は通例ユーザになじみが薄く、及び／又は一般に知られる７〜１０桁の電話番号と比べると比較的長い。
【００１３】
[0008]図２は、モバイル機器とパネリストプロフィールの関連付けを容易にする例示的システム２００の模式図である。図２の例では、システム２００は、イントラネットやインターネットなどのネットワーク２０４に通信的に接続されたＯＤＭサーバ２０２を含む。図の例では、ネットワーク２０４は、１つ又は複数のワイヤレスサービス提供者に関連付けられたワイヤレス基幹設備２０６に結合されている。図２の例は、ワイヤレス基幹設備２０６に通信的に接続されたモバイル機器２０８も含む。図を簡潔にするために、図２の例は単一のモバイル機器２０８及びワイヤレス基幹設備２０６を含むが、任意数のモバイル機器及び／又は任意数のワイヤレス基幹設備構成要素が例示的システム２００で動作することができる。
【００１４】
[0009]いくつかの例では、ＯＤＭサーバ２０２は、登録サーバ２１０（ＯＤＭサーバ２０２とは別個にすることができる）を介してウェブプレゼンス（例えばウェブサイト）を運営して、候補パネリストから情報を収集する。図２の例示的登録サーバ２１０を介して収集される情報には、これらに限定されないが、氏名、アドレス、性別、収入、民族性、世帯規模（例えば既婚／未婚、子供の数、ペットの数等）、電話番号、電子メールアドレス、及び／又は職業が含まれる。図２の例では、ＯＤＭサーバマネジャ２１２が、候補パネリストに、指示、プライバシー規約、会員規約、サービス利用規約、及び／又は他の情報を、登録サーバ２１０を介して提示する。そのような情報は、パネリストとして参加する際の義務、期待事項、及び／又は報酬に関連することができる。図２の例示的ＯＤＭサーバマネジャ２１２は、識別（ＩＤ）ジェネレータ２１４を呼び出して一意のパネリスト識別子を生成し、その識別子は、登録サーバ２１０を介して１つ又は複数のウェブページで十分な関連情報が入力された後、及びプライバシー規約、サービス利用規約及び／又は会員規約に同意した旨の通知（例えば候補パネリストがウェブサイト上の「同意する」ボタンをクリックした旨の通知）が受け取られた後に、候補パネリストに関連付けられる。下記でさらに詳細に説明するように、図の例のＯＤＭアプリケーションは、候補パネリスト、及び／又はプライバシー規約、サービス利用規約及び／又は会員規約に同意したパネリスト（本明細書では「承認パネリスト」とも呼ぶ）にのみ提供される。
【００１５】
[0010]図の例では、サーバＵＲＩジェネレータ２１６は、登録サーバ２１０を介して候補パネリストによって入力されたパネリストの電話番号と、例示的ＩＤジェネレータ２１４によって生成された一意のパネリスト識別子を含む専用のユニフォームリソース識別子（ＵＲＩ）を生成する。また、図の例のサーバＳＭＳジェネレータ２１８は、パネリストから提供された電話番号に送信する、専用ＵＲＩとテキスト命令とを含むインストールＳＭＳメッセージを生成する。図２の例示的サーバＳＭＳジェネレータ２１８は、そのインストールＳＭＳを、ネットワーク２０４及び／又はワイヤレス基幹設備２０６を介してモバイル機器２０８に送信する。
【００１６】
[0011]下記でさらに詳細に説明するように、インストールＳＭＳメッセージは、ＯＤＭサーバ２０２の例示的サーバＳＭＳジェネレータ２１８により、ＯＤＭサーバ２０２の登録サーバ２１０によって支援されるウェブサイトを介して情報（例えば登録時に自宅のコンピュータを介してパネリストが提供する情報）を提供する際に候補パネリストからあらかじめ提供されたモバイル機器２０８の電話番号を含むように生成される。候補パネリストが自身のモバイル機器でインストールＳＭＳメッセージを受信すると、候補パネリストには、ＯＤＭアプリケーションのダウンロード動作を開始するために選択可能なＵＲＩが提示される。例示的テキスト命令とそれに対応するＵＲＩを含むＳＭＳメッセージ例は、
「次のリンクをクリックしてアプリケーションをダウンロードして下さい。
http://odm.companyxyz.com/enroll/GetApp?pn=4142825176&id=98787253」
である。上記の例示的なインストールＳＭＳメッセージでは、パネリストの電話番号（すなわち「４１４２８２５１７６」）がＵＲＩに埋め込まれ、一意のパネリスト識別子（すなわち「９８７８７２５３」）がＵＲＩに埋め込まれている。本明細書で使用する場合、用語「ＵＲＩ」と「ＵＲＬ」は同義である。いくつかの例では、一意のパネリスト識別子は、候補パネリストが自身についての情報を登録サーバ２１０によって管理されるウェブサイトに入力する前、最中、又は後に、例示的ＩＤジェネレータ２１４により一意の値として生成することができる。他の例では、ＯＤＭサーバマネジャ２１２は電子メールジェネレータ２２０を呼び出して、サーバＵＲＩジェネレータ２１６によって生成された専用ＵＲＩ及び命令メッセージを、候補パネリストを宛先とする電子メールメッセージに埋め込む。例えば、ＳＭＳメッセージの送信の試みが成功しない、又は信頼できると見なされない場合は、インストールＳＭＳ（テキスト）メッセージの代わりに（又はそれに加えて）インストール用電子メールを提供すると、ＯＤＭアプリケーションのインスタンスが成功する場合がある。本明細書で使用される場合、用語「インストールメッセージ」は、インストールＳＭＳメッセージ及び／又はインストール電子メールメッセージを含む（例えばそれらの語を包括する）。
【００１７】
[0012]候補パネリストがモバイル機器２０８を介してインストールメッセージで受信したＵＲＩを選択すると、ＯＤＭサーバ２０２、又はインストールメッセージから参照される他のサーバ（例えば上記の例示的ＵＲＩで参照されるサーバ）から、ＯＤＭアプリケーション２２２がダウンロードされる。図の例の例示的アプリケーション２２２は、モバイル機器２０８にインストールされ、インストールメッセージパーサ２２４、ブラウザマネジャ２２６、モバイルメッセージジェネレータ２２８、及びモバイルＵＲＩジェネレータ２３０を含む。図の例の例示的アプリケーション２２２はインストールメッセージパーサ２２４を呼び出して、受信したインストールメッセージを解析し、電話番号及び／又は一意のパネリスト識別子を抽出する。いくつかの例では、インストールメッセージパーサ２２４は、モバイル機器２０８のＳＭＳログを識別して、インストールメッセージを取り出す。他の例では、ブラウザマネジャ２２６がモバイル機器２０８のブラウザ履歴ログ及び／又は電子メールメッセージのリストを識別して、インストールメッセージを取り出す。ＳＭＳログは、例示的モバイル機器２０８に受信されたテキストメッセージの履歴及び／又は時系列のリストを記憶することができる。同様に、ブラウザ及び／又は電子メールリストは、ウェブサイトリンク及び／若しくは送受信された電子メールメッセージの履歴並びに／又は時系列リストを記憶することができる。上記のように、モバイル機器の中には、モバイル機器２０８に対応する電話番号を明らかにしうるオペレーティングシステム及び／又はハードウェアの１つ又は複数の部分にアプリケーションがアクセスすることを許可しないものがあるので、図２の例示的アプリケーション２２２は、モバイル機器２０８に関連付けられた電話番号を特定するための１つ又は複数の代替の試みを行う。一部のモバイル機器オペレーティングシステムはアプリケーションプログラミングインタフェース（ＡＰＩ）を含むが、そのようなＡＰＩは、アプリケーションへの関数呼び出しの限定されたセットを公開して、モバイル機器のハードウェア及び／又はモバイル機器に関連する他の情報への完全なアクセスを許可しない場合がある。例えば、シンビアン（Ｓｙｍｂｉａｎ）（登録商標）携帯電話オペレーティングシステムは、サードパーティのアプリケーションがモバイル機器の電話番号を取得することを許可しない。
【００１８】
[0013]いくつかの例では、ＡＰＩ又は他の方式のアクセスが、各電話機に一意の国際移動機器識別子（ＩＭＥＩ）番号を明らかにする。しかし、ＩＭＥＩ番号は、多くの候補パネリストにとっては容易に特定できず、及び／又はなじみが薄い。そのため、他の登録情報、人口学的情報及び／又は個人情報を要求する際に、ウェブサイトでそのような（１人又は複数の）候補パネリストに（１つ又は複数の）ＩＭＥＩ番号を要求すると負担になる。候補パネリストにＩＭＥＩ及び／又はＥＳＮがすぐに分かる場合でも、それらの識別子は長く、入力ミスを起こしやすい。また、パネリストが後に別のモバイル機器を入手した場合には、そのパネリストの電話番号は、後の（例えば新しい）モバイル機器でもパネリストを追従する見込みが高いが、ＩＭＥＩ番号は恐らくそうではない。そのため、監視側エンティティ（例えば、ＯＤＭを供給し、及び／又は監視データを収集するエンティティ）の記録内では、パネリストの電話番号をパネリストに一致させると有利である。
【００１９】
[0014]例示的アプリケーション２２２が（例えばＳＭＳメッセージログの解析、ブラウザ履歴ログの解析等で）モバイル機器２０８の電話番号を特定すると、例示的モバイルメッセージジェネレータ２２８が、例示的ＯＤＭサーバ２０２に送信される初期化メッセージを生成する。本明細書で使用する場合、初期化メッセージは、初期化ＳＭＳメッセージ、電子メール、ＨＴＴＰ要求、及び／又は初期化ＵＲＩを含むことができる。例えば、モバイルメッセージジェネレータ２２８が初期化メッセージ（例えばＳＭＳテキストメッセージ）を送信したのに対して、ＯＤＭアプリケーション２２２が閾値期間内にＯＤＭサーバマネジャ２１２から肯定応答を受信しない場合は、初期化メッセージは失われた、及び／又は他の形で成功しなかったと見なされる。そのため、例示的モバイルＵＲＩジェネレータ２３０は、初期化メッセージを送信する１回又は複数回の追加的な試みを行うことができる（例えば、送信の成功の通知を提供する電子メールやＨＴＴＰを介してＵＲＩを送信する）。初期化メッセージはＯＤＭサーバ２０２へのテキストメッセージを含むことができ、メッセージは、一意のパネリスト識別子及び／又は特定されたモバイル機器２０８の電話番号をテキストの一部として含む。しかし、例示的モバイルメッセージジェネレータ２２８が特定された電話番号を含むように作製されたテキストメッセージを含めなかった場合でも、例示的ＯＤＭサーバ２０２は、モバイル機器２０８から初期化ＳＭＳメッセージを受信すると、例えば、送信元のモバイル機器２０８のＩＭＥＩ番号に基づいてワイヤレス基幹設備２０６によって解決される発呼者ＩＤ情報を介して、携帯電話番号を特定することができる。上記のように、アプリケーションが特権アクセスを持たない場合、又はモバイル機器２０８自体が自身の携帯電話番号を含んでいない、電話番号を入手できない、及び／又はその他の理由で知らない場合でも、ワイヤレス基幹設備は、ＩＭＥＩ番号又は他の識別子を使用して、モバイル機器２０８に関連付けられた対応するワイヤレス電話番号を判定することができる。いくつかの例では、ワイヤレス基幹設備は、探索表を用いてＩＭＥＩ番号を対応する携帯電話番号と一致させることができる。そのような初期化ＳＭＳメッセージがＯＤＭサーバ２０２に到達した時、メッセージは、送信元モバイル機器２０８のワイヤレス電話番号を伴っていることができる。
【００２０】
[0015]動作時には、初期化メッセージを受信すると、受信した電話番号情報と受信した一意のパネリスト識別子が、登録サーバ２１０を介して候補パネリストによって入力された電話番号及びＩＤジェネレータ２１４が生成した一意のパネリスト識別子と比較される。上記のように、例示的ＩＤジェネレータ２１４は、候補パネリストが適切な人口学的情報を入力及び／又は他の方法で提供し、会員規約及び／又はプライバシー規約（複数可）に同意した後に、一意のパネリスト識別子を生成する。対応する情報同士が一致する場合は、初期化メッセージの送信者はＯＤＭアプリケーション２２２の使用権限があるものと見なされる。また、一致する情報は、送信者／ユーザが、プライバシー規約、サービス利用規約及び／又は会員規約（複数可）に同意したユーザと同じ人物であることの証明の役割も果たす。
【００２１】
[0016]但し、他の状況では、個人情報及び／又は人口学的情報を提供していない者が、ＯＤＭアプリケーション及び／又はＯＤＭ  ＳＭＳの招待を入手できる場合もある。そのような非正規のアクセスは、正規ユーザ（すなわち個人情報及び／又は人口学的情報を提供し、会員規約、サービス利用規約及び／又はプライバシー規約（複数可）に同意した候補パネリスト）が自身へのＳＭＳメッセージ及び／又は電子メールによる招待を他人と共有した時に発生する場合がある。下記でさらに詳細に説明するように、そのような状況では、ＯＤＭアプリケーションは、権限のない人物のモバイル機器２０８では実行を許可されない。一方、非正規のユーザには、情報の不一致に応じて、オンラインウェブサイトへの（例えば登録サーバ２１０を介した）アクセスを促す招待を提供することができる。
【００２２】
[0017]ＳＭＳメッセージの送信及び／又は受信が信頼できない、及び／又は信用できると見なされない状況では、例示的モバイルＵＲＩジェネレータ２３０は、初期化ＵＲＩを宛先とする初期化ＨＴＴＰ要求を生成することができる。初期化ＨＴＴＰ要求は、特定されたモバイル機器２０８の電話番号及び／又はパネリストに関連付けられた一意のパネリスト識別子を示す埋め込まれた情報を含むことができる。ＳＭＳメッセージを介して初期化メッセージを送信する代わりに、例示的モバイルメッセージジェネレータ２２８は、ハイパーテキスト転送プロトコル（ＨＴＴＰ）を使用して、例示的モバイルＵＲＩジェネレータ２３０から提供されるアドレスに誘導してもよい。ＳＭＳメッセージを介して初期化メッセージを送信する代わりにＨＴＴＰ（又はセキュアバージョン（ＨＴＴＰＳ））を用いることの少なくとも１つの利点は、ＨＴＴＰがハンドシェークを含むことである。すなわち、ＳＭＳメッセージが送信される際には、送信者の成功を通知するフィードバックは行われない。対して、ＨＴＴＰ要求は、完了に関する情報を含むことができる対応する応答を呼び出す。
【００２３】
[0018]初期化ＳＭＳメッセージ、電子メール、又はＨＴＴＰ要求を介して初期化メッセージが受信されると、例示的ＯＤＭサーバマネジャ２１２は、共に初期化メッセージで送信された、受信した電話番号が正しい一意のパネリスト識別子と一致するかどうかを判定する。候補パネリストが登録サーバ２１０を介して正しくない電話番号を入力した場合、又は候補パネリストがインストールメッセージを他人（例えば第三者）と共有した場合、インストールされたアプリケーション２２２の使用を試みるユーザは、使用の権限を与えられず、及び／又はプライバシー規約、サービス利用規約及び／又は会員規約（複数可）に同意していない。例えば、候補パネリストがパネリストとしての資格を得ようとして、（例えば１つ又は複数の参加特典に応じて）人口学的情報と携帯電話番号４１４−５４２−６６０９を提供した場合、例示的ＩＤジェネレータ２１４は、提供された携帯電話番号（すなわち４１４−５４２−６６０９）と関連付ける一意のパネリスト識別子を生成し、その結果組み合わせた候補識別の対が得られる。
【００２４】
[0019]最初の組み合わせた候補識別対は、後に比較するためにＯＤＭサーバ２０２に記憶される。モバイル機器２０８は、ＯＤＭサーバ２０２からインストールメッセージ（最初の組み合わせた候補識別対を含む）を受信すると、インストールメッセージから識別対を抽出し、電話番号をモバイル機器２０８のメモリに格納する。データの収集時に、ＯＤＭアプリケーション２２２は、収集したデータを抽出した電話番号と関連付けてから、収集したデータをＯＤＭサーバに送り返す。インストールメッセージの受信が成功した旨の通知をＯＤＭサーバ２０２に提供するために、ＯＤＭアプリケーション２２２は、抽出した識別対をＯＤＭサーバ２０２に転送する。
【００２５】
[0020]多くの場合、抽出された電話番号は、以前に（例えば例示的な登録サーバ２１０により支援されるウェブページを介して）人口学的情報を提供し、サービス利用規約、会員規約及び／又はプライバシー規約（複数可）に同意した同一の候補パネリストに対応する候補パネリストに関連付けられたモバイル機器を正しく識別する。一方、候補パネリストが自身へのインストールメッセージ（例えばインストールＳＭＳメッセージ、インストール電子メールメッセージなど）を他ユーザ（例えば友人や家族等）に転送した場合は、ＯＤＭアプリケーションは、その他ユーザに関連付けられたモバイル機器での動作を許可されるべきでない。例えば、候補パネリストがインストールメッセージを他ユーザと共有した場合は、他ユーザも埋め込まれた電話番号及び候補パネリストに関連付けられた一意のパネリスト識別子を受け取る。インストールメッセージの電話番号がモバイル機器と一致することを確認するために、ＯＤＭアプリケーションは、抽出された電話番号及び一意のパネリスト識別子をワイヤレス基幹設備２０６を介してＯＤＭサーバ２０２に送信する。ＯＤＭサーバ２０２は、インストールメッセージで受信された電話番号を、ワイヤレス基幹設備２０６から提供される発呼者ＩＤ情報から導出される電話番号と比較する。両電話番号が一致する場合、候補パネリストはモバイル機器２０８に正しく関連付けられていると見なされ、ＯＤＭアプリケーション２２２のインストールに成功している。次いで、起動メッセージがＯＤＭサーバ２０２から候補パネリストに関連付けられた電話番号に転送されて、例えばＯＤＭアプリケーション２２２のロックを解除する、及び／又はＯＤＭアプリケーション２２２の完全な機能を許可する。しかし、電話番号が一致しない場合、ＯＤＭサーバ２０２は候補パネリストの不一致の示唆を識別し、不一致は、（１つ又は複数の）データ入力エラーやインストールメッセージの共有が原因である可能性がある。そのような状況では、ＯＤＭサーバ２０２は起動メッセージを送信せず、代わりに、発呼者ＩＤ情報に関連付けられた電話番号にＳＭＳメッセージを送信し、メッセージは、（例えば登録サーバ２１０を介して）ＯＤＭ登録ウェブサイトを訪問し、市場調査に参加するように促すユーザへの招待を含む。
【００２６】
[0021]状況によっては、例示的ＯＤＭサーバ２０２は、インストールメッセージの電話番号がモバイル機器と一致することを確認するために例示的ワイヤレス基幹設備２０６から提供される発呼者ＩＤ情報に依拠する必要がない場合もある。他ユーザが候補ユーザからインストールメッセージを受け取り、他ユーザがＯＤＭアプリケーション２２２をダウンロードし、アプリケーション２２２がインストールメッセージを解析してメッセージに埋め込まれた電話番号を抽出する例を考えたい。さらに、例示的ＯＤＭアプリケーション２２２は、インストールメッセージを解析し、埋め込まれた電話番号を抽出した後に、抽出した電話番号をＯＤＭサーバ２０２に送信して、インストールが発生したことを明確にする。ワイヤレス基幹設備２０６から受信される、抽出された電話番号の送信者に関連付けられた発呼者ＩＤ情報を用いる代わりに、ＯＤＭサーバ２０２は抽出された電話番号に権限付与メッセージを送信する。当初のインストールメッセージが候補パネリストによって他ユーザと共有された場合、ＯＤＭサーバ２０２から送信される権限付与メッセージは、ＯＤＭアプリケーション２２２がインストールされていない別のワイヤレス機器（すなわち、正しい候補パネリストに関連付けられたワイヤレス機器）に受信される。その結果、ＯＤＭアプリケーション２２２から送信された権限付与メッセージには肯定応答が返されないことになる。いくつかの例では、閾値期間内に肯定応答メッセージが受信されない場合は、ＯＤＭサーバ２０２は候補パネリストを無効と見なし、及び／又は電子メールを介して候補パネリストに連絡を取り、不成功を伝える。不成功を伝える電子メールは、候補パネリストがＯＤＭアプリケーションをセットアップ及び／又はデータ入力を確認する作業を支援する指示も含むことができる。
【００２７】
[0022]図３は、ブラウザ３０２、ＯＤＭサーバ２０２、ワイヤレスネットワーク２０６、及び／又はモバイル機器２０８を伴う例示的通信を示す例示的メッセージダイアグラム３００を示す。動作時に、ブラウザ３０２は、例示的登録サーバ２１０によってホストされる１つ又は複数のウェブページ介してＯＤＭサーバ２０２に通信的に接続する。ブラウザ３０２はモバイル機器２０８とは別個であり、例えばフルサイズのキーボード及び／又はディスプレイを備えるＰＣで実装されることができるが、このブラウザ３０２を介して、候補パネリストが人口学的情報及び／又は個人情報３０４をＯＤＭサーバ２０２に提供する。この例では、候補パネリストから提供される個人情報は、モバイル機器２０８の電話番号を含む。図の例のＯＤＭサーバ２０２はサーバＳＭＳジェネレータ２１８を呼び出して、提供された電話番号を使用してインストールＳＭＳメッセージを生成し、ワイヤレスネットワーク２０６に送信する（３０６）。上記のように、モバイル機器２０８は自身の電話番号を知らない、及び／又は入手できない場合があるので、例示的ワイヤレスネットワーク２０６を介して運営されるモバイル機器２０８の通信サービスで電話番号を適切な識別子（例えばＩＭＥＩ番号）に変換し、それによりインストールＳＭＳメッセージをモバイル機器２０８に配信させ、ＳＭＳメッセージを転送する（３０８）。
【００２８】
[0023]その後モバイル機器２０８に例示的アプリケーション２２２がインストールされると、アプリケーション２２２は、初期化メッセージを初期化ＳＭＳ、初期化電子メール、又は初期化ＨＴＴＰ要求として送信するかどうかを判断する。いくつかの例では、アプリケーション２２２は、受信したインストールＳＭＳメッセージを求めてモバイル機器２０８のＳＭＳログを調べ、インストールＳＭＳメッセージに含まれる電話番号を抽出し（３１０）、抽出された電話番号が埋め込まれた初期化ＳＭＳメッセージをワイヤレスネットワーク２０６に送り返す。初期化ＳＭＳメッセージ（３１２）は、ワイヤレスネットワーク２０６からＯＤＭサーバ２０２に転送される。ＯＤＭサーバ２０２は、パネリスト及び対応するモバイル機器２０８の登録を確認する（３１４）。
【００２９】
[0024]上記のように、例示的ＯＤＭサーバ２０２及び／又はモバイル機器２０８で動作する例示的アプリケーション２２２は、ＳＭＳメッセージを介してパネリスト及びモバイル機器２０８を登録する代わりにＨＴＴＰ（又はＨＴＴＰＳ）を用いることができる。図３の例ではインストールメッセージがインストールＳＭＳメッセージを介して発生することを示すが、ＯＤＭサーバ２０２は、これに限定しないが、ＨＴＴＰ及び／又はインストール用のＵＲＩが埋め込まれた電子メールメッセージを介してインストールメッセージを送信してもよい。他の例（図３に点線で示す）では、アプリケーション２２２は、受信したインストールＳＭＳメッセージを求めてモバイル機器２０８のＳＭＳログを調べ、インストールＳＭＳメッセージに含まれる（埋め込まれた）電話番号を抽出し、初期化ＨＴＴＰ要求（３１６）を生成する。初期化要求は例示的ワイヤレスネットワーク２０６に転送され、ネットワーク２０６から要求３１６をＯＤＭサーバ２０２に転送して登録を完了する（３２０）。
【００３０】
[0025]図４に、ブラウザ４０２、候補パネリスト機器に関連付けられたワイヤレス機器（「機器Ａ」）４０４、他ユーザの機器に関連付けられたワイヤレス機器（「機器Ｂ」）４０６、ＯＤＭサーバ１０２間の通信を示すメッセージダイアグラム４００を示す。図４のメッセージダイアグラム４００は、候補パネリストが自身のワイヤレス機器を自分のプロフィール情報に関連付け、ＯＤＭアプリケーションをインストールすることに成功する例示的状況を示す。図４の例示的メッセージダイアグラム４００は、候補パネリストが自分へのインストールメッセージを他ユーザと共有する例示的状況と、本明細書に開示される例示的方法及び装置が、非正規の他ユーザによるＯＤＭアプリケーションの使用をどのように阻止するのかも示す。
【００３１】
[0026]動作時、候補パネリストは、例えば登録サーバ２１０を介してＯＤＭサーバ２０２に情報を提供する（４０８）。提供される情報は、人口学的情報及び機器Ａ４０４に関連付けられた電話番号を含むことができる。十分な量の情報及び対応するワイヤレス機器の電話番号を提供すると、ＯＤＭサーバ２０２のＩＤジェネレータ２１４が候補パネリストの一意のパネリスト識別子を生成する（４１０）。十分な人口学的情報が提供され、ＯＤＭアプリケーションのインストールに成功し、機器Ａ４０４との関連付けられると、候補パネリストは承認パネリストに昇格される。
【００３２】
[0027]図４の例示的ＯＤＭサーバ２０２は、候補パネリストから提供された電話番号及び一意のパネリスト識別子が埋め込まれたインストールメッセージ（例えばＳＭＳメッセージ、専用ＵＲＩを含んだ電子メールメッセージ等）を送信する（４１２）。ＯＤＭサーバ２０２から送信される、電話番号と一意のパネリスト識別子の組み合わせを本明細書では第１のＩＤ対４１１と呼ぶ。インストールメッセージを受信すると、候補パネリストからの肯定通知によりＯＤＭアプリケーションがダウンロードされ、インストールされる（４１４）。インストール後、ＯＤＭアプリケーションは受信したインストールメッセージを解析し、メッセージは、機器Ａ４０４でＳＭＳメッセージログ又は電子メールメッセージとして記憶されている可能性がある（４１６）。インストールメッセージの解析によりインストールメッセージに埋め込まれた電話番号及び一意のパネリスト識別子が抽出され、ＯＤＭアプリケーションは、抽出された情報を機器Ａ４０４のメモリに記憶させる（４１６）。抽出された情報はさらに、第２のＩＤ対４１８としてＯＤＭサーバ２０２に返送される。
【００３３】
[0028]例示的ＯＤＭサーバ２０２は、第１のＩＤ対４１１を第２のＩＤ対４１８と比較して、両者が同一であるか、異なるかを確認する（４２０）。第１及び第２のＩＤ対４１１、４１８が同一である場合は、例示的ＯＤＭサーバ２０２は、抽出された電話番号を使用して権限付与メッセージを送信する（４２２）。機器Ａ４０４が権限付与メッセージを受信すると、ＯＤＭアプリケーションが完全に有効化されて機器メータとして動作するようになり、収集されたデータをＯＤＭサーバ２０２に送信する。ＯＤＭアプリケーションが機器メータとして動作するための有効化が成功したことをＯＤＭサーバ２０２が知ることができるようにするために、ＯＤＭアプリケーションは、肯定応答メッセージをＯＤＭサーバに送信する（４２４）。肯定応答メッセージを受信すると、例示的ＯＤＭサーバ２０２は候補パネリストを承認パネリストに昇格させる（４２６）。
【００３４】
[0029]一方、図４の下方は、候補パネリストがインストールメッセージを１人又は複数の他ユーザ（例えば関心を持つ友人や家族等）に提供した代替例を示す。そのような状況では、本明細書に開示される装置、方法及び／又は製造品は、そのような（１人又は複数の）他ユーザがＯＤＭアプリケーションを自身の（１つ又は複数の）機器で使用する権限を与えられないことを識別する。例えば、インストールメッセージが機器Ａ４０４に送信された後に共有された場合は（点４２８を参照）、図４の例のメッセージは、ＯＤＭサーバ２０２が抽出された電話番号を使用して権限付与メッセージを送信する（４２２）までは上記のように動作する。その場合、インストールメッセージに埋め込まれた電話番号とは異なる電話番号を有する機器Ｂ４０６は、権限付与メッセージ（４２２）を受信することはない。代わりに、インストールメッセージから抽出された電話番号に対応する機器Ａ４０４が、権限付与メッセージを含むＳＭＳメッセージ又は電子メールメッセージを受信する。しかし、機器Ａ４０４にはＯＤＭアプリケーションがインストールされていないため、機器Ａ４０４は権限付与メッセージを処理せず、ＯＤＭサーバ２０２は、肯定応答メッセージが受信されないタイムアウト期間を識別する（４３８）。候補パネリストにはＯＤＭサーバ２０２からの電子メールメッセージを介して不成功を通知することができる。また、例示的ＯＤＭサーバ２０２は、インストールメッセージが損なわれたことを識別することができる。
【００３５】
[0030]一方、機器Ｂ４０６に関連付けられた他ユーザは候補パネリストではなく、したがって人口学的情報及び機器Ｂ４０６に関連付けられた電話番号を提供していないが、ＯＤＭアプリケーションをインストール及び／又は使用する試みは、パネリストとして参加したいという意思の表れである。明細書に開示される方法、装置、及び／又は製造品は、一つには候補ユーザになるための招待を他ユーザに送信することにより、新たなパネリストを得る機会をうまく活かす。権限付与メッセージから肯定応答を受け取らないことに応じて、ＯＤＭサーバ２０２は、初期化メッセージの受信に関連付けられた発呼者ＩＤ情報を取得する（４１６）。入手可能な発呼者ＩＤ情報が初期化メッセージの抽出された電話番号と異なる電話番号を示す場合、ＯＤＭサーバ２０２は、招待メッセージをその異なる番号に転送する。この招待では、例えば、例示的登録サーバ２１０によって支援されるウェブサイトに受信者を誘導して、それにより、他ユーザが機器内計測市場活動で使用される十分な人口学的情報と自身のワイヤレス機器に関連付けられた電話番号を提供できるようにする。
【００３６】
[0031]モバイル機器の登録を容易にするシステム２００を実装する例示的方式を図２に示すが、図２に示す要素、プロセス、及び／又は機器の１つ又は複数は、組み合わせ、分割、配置変更、省略、除去、及び／又は任意の他の方式で実装することが可能である。さらに、図２の例示的ＯＤＭサーバ２０２、例示的登録サーバ２１０、例示的サーバ側マネジャ２１２、例示的ＩＤジェネレータ２１４、例示的サーバＵＲＩジェネレータ２１６、例示的サーバＳＭＳジェネレータ２１８、例示的電子メールジェネレータ２２０、例示的アプリケーション２２２、例示的インストールメッセージパーサ２２４、例示的ブラウザマネジャ２２６、例示的モバイルメッセージジェネレータ２２８、及び／又は例示的モバイルＵＲＩジェネレータ２３０は、ハードウェア、ソフトウェア、ファームウェア、並びに／又はハードウェア、ソフトウェア及び／若しくはファームウェアの組み合わせによって実装することができる。したがって、例えば、図１の例示的ＯＤＭサーバ２０２、例示的登録サーバ２１０、例示的サーバ側マネジャ２１２、例示的ＩＤジェネレータ２１４、例示的サーバＵＲＩジェネレータ２１６、例示的サーバＳＭＳジェネレータ２１８、例示的電子メールジェネレータ２２０、例示的インストールメッセージパーサ２２４、例示的ブラウザマネジャ２２６、例示的モバイルメッセージジェネレータ２２８、及び／又は例示的モバイルＵＲＩジェネレータ２３０は、１つ又は複数の回路（複数可）、プログラマブルプロセッサ（複数可）、特定用途集積回路（ＡＳＩＣ）（複数可）、プログラマブルロジックデバイス（ＰＬＤ）（複数可）、及び／又はフィールドプログラマブルロジックデバイス（ＦＰＬＤ）（複数可）等によって実装することもできる。本特許の装置クレームが純粋にソフトウェア及び／又はファームウェアによる実装を包含するものと解釈される場合、図２の例示的ＯＤＭサーバ２０２、例示的登録サーバ２１０、例示的サーバ側マネジャ２１２、例示的ＩＤジェネレータ２１４、例示的サーバＵＲＩジェネレータ２１６、例示的サーバＳＭＳジェネレータ２１８、例示的電子メールジェネレータ２２０、例示的アプリケーション２２２、例示的インストールメッセージパーサ２２４、例示的ブラウザマネジャ２２６、例示的モバイルメッセージジェネレータ２２８、及び／又は例示的モバイルＵＲＩジェネレータ２３０の少なくとも１つは、ソフトウェア及び／又はファームウェアを記憶する、メモリ、ＤＶＤ、ＣＤ等の有形のコンピュータ可読媒体を含むものとここに明確に定義される。さらに、図２の例示的システム２００は、図２に示すものに加えて、又はそれに代えて１つ又は複数の要素、プロセス、及び／又は機器を含んでよく、及び／又は、図に示す要素、プロセス、及び機器のいずれか又はすべてを２つ以上含むことができる。
【００３７】
[0032]図２のシステム２００及び／又は図３及び図４の例示的メッセージダイアグラムを実装するための例示的な機械可読命令を表すフローチャートを図５〜８に示す。これらの例では、機械可読命令は、図９との関連で下記で説明する例示的コンピュータＰ１００に示すプロセッサＰ１０５などのプロセッサで実行するためのプログラムからなる。このプログラムは、ＣＤ−ＲＯＭ、フロッピーディスク、ハードドライブ、デジタル多用途ディスク（ＤＶＤ）などの有形のコンピュータ可読媒体、又はプロセッサＰ１０５に関連付けられたメモリに記憶されるソフトウェアとして実施することができるが、プログラム全体及び／又はその一部は、代わりにプロセッサＰ１０５以外の装置によって実行しても、又はファームウェア若しくは専用ハードウェアとして実施することもできる。さらに、例示的プログラムは、図５〜８に示すフローチャートを参照して説明するが、例示的システム２００を実装する多くの他の方法を代わりに使用してもよい。例えば、ブロックを実行する順序を変更する、及び／又は記載されるブロックの一部を変更、削除、又は組み合わせてもよい。
【００３８】
[0033]上記のように、図５〜８の例示的プロセスは、ハードディスクドライブ、フラッシュメモリ、読み取り専用メモリ（ＲＯＭ）、コンパクトディスク（ＣＤ）、デジタル多用途ディスク（ＤＶＤ）、キャッシュ、ランダムアクセスメモリ（ＲＡＭ）などの有形のコンピュータ可読媒体、及び／又は任意の期間情報が記憶される他の記憶媒体（例えば長期間、恒久的、ごく短時間、一時的なバッファリング、及び／又は情報のキャッシュのため）に記憶された、符号化命令（例えばコンピュータ可読命令）を使用して実装することができる。本明細書で使用する場合、用語「有形のコンピュータ可読媒体」は、任意の種類のコンピュータ可読記憶装置を含み、伝搬信号を除外するものと明確に定義する。これに加えて、又はこれに代えて、図５〜８の例示的プロセスは、ハードディスクドライブ、フラッシュメモリ、読み取り専用メモリ、コンパクトディスク、デジタル多用途ディスク、キャッシュ、ランダムアクセスメモリなどの非一時的なコンピュータ可読媒体、及び／又は情報が任意の期間（例えば長期間、恒久的、ごく短時間、一時的なバッファリング、及び／又は情報のキャッシュのため）記憶される他の記憶媒体に記憶された符号化命令（例えばコンピュータ可読命令）を使用して実装することもできる。本明細書で使用する場合、用語「非一時的なコンピュータ可読媒体」は、任意種類のコンピュータ可読媒体を含み、伝搬信号を除外するものと明確に定義する。
【００３９】
[0034]図５のプログラム５００はブロック５０２で開始し、ＯＤＭサーバ２０２の例示的登録サーバ２１０が候補パネリストから人口学的情報及び／又は個人情報を受信する。人口学的情報には、これらに限定されないが、人種、国籍、世帯住所、世帯収入、個人収入、年齢、性別、既婚／未婚、及び／又は子供の数が含まれる。また、個人情報は、氏名、好きなスポーツ、趣味、コンピュータの台数及び／又は（１つ又は複数の）種類、好きなメディアジャンル、ワイヤレス機器の電話番号などを含むことができる。例示的登録サーバ２１０は、候補パネリストが個人情報及び／又は人口学的情報を入力することができるフォームを有する１つ又は複数のウェブページを支援することができる。候補パネリストが個人情報及び／又は人口学的情報の入力を完了すると、例示的ＩＤジェネレータ２１４は、候補パネリストに関連付ける一意の識別番号を生成する（例えば数値や英数値）（ブロック５０４）。下記でさらに詳細に説明するように、例示的なサーバ側登録マネジャは、一意の識別番号及びモバイル機器２０８の電話番号が返されるのを待って、登録が成功したことを確認することができる。
【００４０】
[0035]例示的サーバ側登録マネジャ２１２は、サーバＳＭＳジェネレータ２１８又はサーバＵＲＩジェネレータ２１６を呼び出して、インストールメッセージを生成する（ブロック５０６）。上記のように、本明細書に記載される例示的方法、装置、システム、及び／又は製造品は、ＯＤＭサーバ２０２とモバイル機器２０８間で通信する際に、ＳＭＳメッセージ技術、電子メール技術、及び／又はＨＴＴＰ技術、及び／又は任意の他の通信プロトコルを用いることができる。インストールメッセージが生成されると（ブロック５０６）、例示的ＳＭＳジェネレータ２１８又は例示的サーバＵＲＩジェネレータ２１６は、候補パネリストから提供された携帯電話番号、例示的ＩＤジェネレータ２１４によって生成された一意の識別番号、及び候補パネリストが例示的アプリケーション２２２をダウンロードし、インストールすることが可能なＵＲＩを含める。ＵＲＩはさらに、アプリケーションのダウンロード元場所、一意の識別番号、及び電話番号が文字列として埋め込まれた専用ＵＲＩとして作製することもできる（ブロック５０８）。例えば、例示的サーバＵＲＩジェネレータ２１６は、次の例示的文字列を生成することができる。
http://odm.companyxyz.com/enroll/GetApp?pn=4142825176&id=98787253
埋め込まれた電話番号の前には「ｐｎ＝」が置かれ、埋め込まれた識別番号の前には「ｉｄ＝」が置かれる。
【００４１】
[0036]インストールメッセージは、電話番号を使用してＳＭＳメッセージとして、及び／又は電子メールアドレスを使用して電子メールメッセージとして、例示的ＯＤＭサーバ２０２から送信される（ブロック５１０）。例示的ＯＤＭサーバ２０２は、候補パネリストが例示的アプリケーション２２２をモバイル機器２０８にインストールしたことを知らせる通知があるかどうかを監視し（ブロック５１２）、通知がない場合、ＯＤＭサーバ２０２はタイムアウト期間が満了したかどうかを判定する（ブロック５１４）。タイムアウト期間は、分、時間、日、週、月単位など、任意量に設定することができる。いくつかの例では、例示的ＯＤＭサーバ２０２から送信されるインストールメッセージは、登録の招待が期限切れになるまでに候補パネリストが待つことが可能な長さの指示を含める。例えば、ＯＤＭサーバ２０２は、
「一週間以内にこのリンクをクリックして計測アプリケーションをインストールして下さい。
http://odm.companyxyz.com/enroll/GetApp?pn=4142825176&id=98787253」
という文言を含めることができる。例示的なタイムアウト期間が満了していない場合（ブロック５１４）、制御はブロック５１２に返されて引き続き待機し、その他の場合は、例示的ＯＤＭサーバ２０２は候補パネリストに参加の意思がないものと見なし、それ以上の試みは終了する。
【００４２】
[0037]一方、初期化の通知が受信された場合（ブロック５１２）、例示的サーバ側登録マネジャ２１２は、初期化の通知が電話番号及び候補パネリストに関連付けられた一意の識別番号を含むかどうかを判定する（ブロック５１６）。含まない場合は、候補パネリストとそれに対応するモバイル機器２０８を登録する試みは成功しておらず、プロセス５００は終了する。しかし、一致がある場合は、権限付与メッセージを初期化メッセージの電話番号に送信して、ＯＤＭアプリケーションを完全に有効化して機器内メータとして機能させる（ブロック５１８）。ＯＤＭサーバマネジャ２１２は、モバイル機器２０８からの肯定応答メッセージを待つ（ブロック５２０）。
【００４３】
[0038]ＯＤＭサーバマネジャ２１２が肯定応答メッセージを受信しない場合（例えば閾値期間が満了しても）（ブロック５２０）、ＯＤＭサーバマネジャ２１２は、候補パネリストのプロフィール情報（例えば人口学的情報）を無効と見なし、モバイル機器をＯＤＭサーバ２０２に関連付けることが成功しなかったことに関する電子メールメッセージを候補パネリストに送信する（ブロック５２２）。この電子メールメッセージは、例えば、不成功の原因が関心を失ったためではなかった場合に、候補パネリストが機器内計測を行うパネリストとして参加することを再度試みさせることができる。しかし、不成功の原因が、他ユーザが初めに十分な人口学的情報を提供せずにＯＤＭアプリケーションの使用を試みたせいである場合は、例示的ＯＤＭサーバマネジャ２１２は、発呼者ＩＤ情報が入手可能であるかどうかを判定する（ブロック５２４）。入手可能でない場合、例示的プログラム５００は終了し、その他の場合は、ＯＤＭサーバマネジャ２１２が、発呼者ＩＤ情報と初期化メッセージの電話番号が一致するかどうかを判定する（ブロック５２６）。一致する場合、例示的プログラム５００は終了し、その他の場合は、機器内計測に参加することを促す招待が、発呼者ＩＤ情報に関連付けられた電話番号に送信される（ブロック５２８）。
【００４４】
[0039]図６のプログラム６００はブロック６０２で開始し、例示的モバイル機器２０８はインストールメッセージの受信があるかどうか監視する。受信されない場合は、例示的プログラム６００は引き続き待機し、そうでない場合は、インストールメッセージが受信され、インストールメッセージに埋め込まれた対応するＵＲＩを候補パネリストがクリックした後に、例示的モバイル機器２０８が例示的アプリケーション２２２をインストールする（ブロック６０４）。上記のように、インストールメッセージは、ＳＭＳメッセージ又は電子メールメッセージとして例示的モバイル機器２０８に受信されることができる。いずれの場合も、受信されるインストールメッセージは、モバイル機器２０８の電話番号と、候補パネリスト及びモバイル機器２０８に関連付けられた一意の識別番号とを含み、これらは両方とも例示的ＯＤＭサーバ２０２から送信されたものである。
【００４５】
[0040]例示的アプリケーション２２２は例示的インストールメッセージパーサ２２４を呼び出して、受信したインストールメッセージに埋め込まれた電話番号及び一意の識別番号を解析させる（ブロック６０６）。いくつかの例では、インストールメッセージパーサ２２４は、モバイル機器２０８のＳＭＳログから受信したインストールメッセージを取得し、受信したＳＭＳメッセージに電話番号及び一意の識別番号があるかどうか解析する（ブロック６０８）。他の例では、インストールメッセージパーサ２２４はブラウザマネジャ２２６を呼び出して、インストールメッセージに埋め込まれていた専用ＵＲＩを明らかにするモバイル機器２０８のブラウズ履歴を検索する。例えば、ユーザがＳＭＳメッセージ又は電子メールメッセージを介して専用ＵＲＩを受信した場合は、候補パネリストがＵＲＩをクリックする動作により、モバイル機器２０８のブラウザがアプリケーション２２２のダウンロード元に移動する。したがって、例示的インストールメッセージパーサ２２４は、ブラウズ履歴の専用ＵＲＩに、電話番号を示す文字（例えば「ｐｎ＝」）及び／又は一意の識別番号を示す文字（例えば「ｉｄ＝」）があるかどうかを解析することができる。
【００４６】
[0041]モバイル機器２０８のオペレーティングシステム及び／又はＡＰＩは、モバイル機器２０８の電話番号の入手を許可しない場合があるが、アプリケーション２２２は、受信したインストールメッセージからそのような情報を抽出し、またアプリケーション２２２は電話番号をメモリに記憶する能力がある。通例、モバイル機器２０８のオペレーティングシステム及び／又はＡＰＩは、アプリケーション２２２がモバイル機器２０８で動作する時にアクセス可能な何らかのメモリへのアクセスを提供する。したがって、この時点でアプリケーション２２２はモバイル機器２０８の電話番号をアクセス可能なメモリに所持しているので、その後例示的アプリケーションで収集される計測データは、モバイル機器及びそれに対応するパネリストを識別する電話番号との関連でＯＤＭサーバに送信することができる。
【００４７】
[0042]アプリケーション２２２のインストールが成功し、動作していることの通知を例示的ＯＤＭサーバ２０２に提供するために、例示的モバイルメッセージジェネレータ２２８はモバイルＵＲＩジェネレータ２３０を呼び出して、ＯＤＭサーバ２０２宛ての専用ＳＭＳ又は専用ＵＲＩを生成する（ブロック６１０）。ＳＭＳメッセージを介して通知が行われる場合、例示的モバイルメッセージジェネレータ２２８は、ＯＤＭサーバ２０２に関連付けられた電話番号を宛先とするＳＭＳメッセージを生成し、モバイル機器２０８の電話番号及び一意の識別番号を有するテキストを生成する。通知がＨＴＴＰを介して行われる場合は、例示的モバイルメッセージジェネレータ２２８はモバイルＵＲＩジェネレータ２３０を呼び出して、ＯＤＭサーバ２０２のＨＴＴＰアドレスを宛先とする専用ＵＲＩを生成し、モバイル機器２０８の電話番号と一意の識別番号をＵＲＩ中に埋め込む。通知がＳＭＳメッセージを介して行われるかＨＴＴＰを介して行われるかに関係なく、例示的アプリケーション２２２はＯＤＭサーバ２０２に通知を送信して、モバイル機器２０８を候補パネリストに関連付ける（初期化メッセージ）（ブロック６１２）。
【００４８】
[0043]ＯＤＭアプリケーション２２２は、最初に例示的モバイル機器２０８にインストールされた後は機能が制限される。例えば、ＯＤＭアプリケーション２２２は、最初は、モバイル機器２０８の電話番号を特定することに関連する機能に限定され、機器内計測活動（例えば音声録音、ＧＰＳデータのサンプリング、機器活動の記録等）に関連する機能は、候補パネリストが正しいモバイル機器２０８にＯＤＭアプリケーション２２２を正しくインストールしたと確認されるまで無効にしておくことができる。そのために、例示的ＯＤＭアプリケーション２２２は、初期化メッセージの送信に応じてＯＤＭサーバ２０２から権限付与メッセージの送信があるかどうかを監視する（ブロック６１４）。権限付与メッセージを待つ閾値時間が満了していない場合は（ブロック６１６）、制御がブロック６１４に返され、その他の場合、例示的プログラム６００は終了する。権限付与メッセージを受信しない原因は、例えば候補パネリストが参加する興味を失ったこと、又は候補パネリストのインストールメッセージが、十分な人口学的情報を提供せず、及び／又は（１つ又は複数の）サービス規約の条件に同意していない他ユーザと共有及び／又は他の形で他ユーザに提供された状況等である。一方、閾値が満了する前に例示的ＯＤＭアプリケーション２２２がＯＤＭサーバ２０２から権限付与メッセージを受信した場合（ブロック６１４）、ＯＤＭアプリケーション２２２は機器内計測を行うために自身を完全に有効化し（例えば、これらに限定されないが、マイクロフォン、ＧＰＳセンサ、コンパスセンサ、加速度計などのモバイル機器の内蔵センサへの完全なアクセスを許可することによる）、肯定応答メッセージをＯＤＭサーバ２０２に転送する（ブロック６１８）。すなわち、ＯＤＭアプリケーション２２２は権限付与メッセージの受信に応じて条件付きで有効化される。
【００４９】
[0044]さらに他の状況では、ユーザが、運営されるアプリケーションリポジトリ（例えばアンドロイドマーケット、アップルＡｐｐＳｔｏｒｅ、アイチューンズ等）、ウェブサイト及び／又は他の場所からＯＤＭアプリケーション２２２をダウンロードする。ＯＤＭアプリケーション２２２をインストールするユーザの中には、新しいモバイル機器を得た承認パネリスト、以前のモバイル機器を失った後に代替のモバイル機器を得た承認パネリスト、及び／又は完全に有効化されたＯＤＭアプリケーション２２２を意図的若しくは意図せずにアンインストールした承認パネリストなどの既存ユーザがいる可能性もある。ＯＤＭアプリケーション２２２をインストールする他のユーザは、機器内計測活動への参加に興味を持っている新規ユーザである可能性がある（例えば宣伝活動、特典、好奇心などから）。本明細書に開示される例示的方法、装置及び／又は製造品は、例示的ＯＤＭアプリケーション２２２をインストールした復帰承認パネリスト及び新規ユーザ（例えば候補パネリスト）の状況を見極める。
【００５０】
[0045]図７のプログラム７００はブロック７０２で開始し、例示的ＯＤＭアプリケーション２２２が選択され（例えばアンドロイドマーケットから）、モバイル機器２０８にダウンロードされ、インストールされる。上記のように、例示的ＯＤＭアプリケーション２２２は、候補パネリストが十分な人口学的情報を提供し、会員規約、サービス利用規約及び／又はプライバシー規約に同意し、候補パネリストに関連付けられた正しいモバイル機器２０８が確認されるまでは、最初は限定された（例えば部分的な）機能でインストールされる。部分的な機能には、これらに限定されないが、例示的モバイル機器２０８の１つ又は複数のセンサへのアクセスの無効化が含まれる。センサは、これらに限定されないが、ＧＰＳセンサ、マイクロフォン、光センサ、コンパス及び／又は磁気センサ、及び／又は加速度計を含むことができる。例示的ＯＤＭアプリケーション２２２は、ボタンの押下や例示的モバイル機器２０８のタッチ式ディスプレイでのユーザインタフェース入力などにより、新規ユーザに自身が新規ユーザであるか既存ユーザであるかを確認するように促す（ブロック７０４）。ユーザが（例えばユーザインタフェースでの選択を介して）自身が新規ユーザであると示す場合は、例示的ＯＤＭアプリケーション２２２は、新規ユーザにデータ入力ウェブサイト（例えば例示的登録サーバ２１０にホストされるウェブサイト）に行き、ユーザの人口学的情報とＯＤＭアプリケーション２２２及び関連するモバイル機器２０８との関連付けを開始するように促す（ブロック７０６）。
【００５１】
[0046]ユーザが自身を既存ユーザと示す場合（ブロック７０４）は、例示的ＯＤＭアプリケーション２２２は、以前に受信したインストールメッセージを検索する（ブロック７０８）。以前に受信されたインストールメッセージが見つかる場合（ブロック７０８）、制御は図６のブロック６０８に進む。但し、かなりの量の時間が経過している場合は、以前に受信されたインストールメッセージはすでに消去されており（例えばＳＭＳメッセージログがクリアされている）、又はインストールメッセージが以前に例示的モバイル機器２０８に受信されていない場合は、例示的ＯＤＭアプリケーション２２２は、例示的ＯＤＭサーバ２０２に回復要求メッセージを送信する（ブロック７１０）。例示的ＯＤＭアプリケーション２２２は、それに対応するインストールメッセージが受信されるかどうかを判定し（ブロック７１２）、受信されない場合は、タイムアウト期間（例えばインストールメッセージを待つ閾値期間）が発生したかどうか、及び／又はＯＤＭサーバ２０２から一致するユーザプロフィールがない旨の通知が返されるかどうかを判定する（ブロック７１４）。タイムアウト及び／又はユーザの一致がない旨の通知がある場合（ブロック７１４）、ＯＤＭアプリケーション２２２は、新規ユーザにデータ入力ウェブサイト（例えば例示的登録サーバ２１０によってホストされるウェブサイト）に行き、ユーザの人口学的情報とＯＤＭアプリケーション２２２及び関連するモバイル機器２０８との関連付けを開始するように促す（ブロック７０６）。一方、例示的ＯＤＭアプリケーション２２２がＯＤＭサーバ２０２からインストールメッセージを受信した場合（ブロック７１２）、制御は図６のブロック６０８に進む。
【００５２】
[0047]図８のプログラム８００はブロック８０２で開始し、例示的ＯＤＭサーバ２０２が回復要求メッセージの通知があるかどうかを監視する。回復要求メッセージの通知を受信すると（ブロック８０２）、例示的ＯＤＭサーバ２０２は、プロフィールデータベース２２１から回復要求メッセージと共に受け取ったメッセージ発呼者ＩＤ情報に関連付けられた電話番号を検索する（ブロック８０４）。例えば、ＯＤＭアプリケーション２２２をインストールするユーザがかつて承認パネリストであった場合は、そのプロフィール情報（例えば人口学的情報、モバイル機器２０８に関連付けられた電話番号等）がＯＤＭサーバ２０２のプロフィールデータベース２２１に記憶されているはずである。一致が見つからない場合は（ブロック８０６）、不一致を知らせるメッセージが発呼者ＩＤ情報に関連付けられた電話番号に転送され（ブロック８０８）、それによりＯＤＭアプリケーション２２２が、候補パネリストのデータ入力のためのデータ入力ウェブサイトを訪れるようにユーザを促す。一方、一致が見つかる場合（ブロック８０６）、ＯＤＭサーバ２０２は、受信した発呼者ＩＤ情報に関連付けられた電話番号にインストールメッセージを送信し（ブロック８１０）、制御は図５のブロック５２０に進む。
【００５３】
[0048]図９は、図２の装置及び／又は図３及び図４の例示的メッセージダイアグラムを実装するための図５〜８の命令を実行することが可能な例示的コンピュータＰ１００のブロック図である。コンピュータＰ１００は、例えば、サーバ、パーソナルコンピュータ、携帯電話（例えばセル電話機）、携帯情報端末（ＰＤＡ）、インターネット機器、又は他の種類のコンピューティング機器である。
【００５４】
[0049]本例のシステムＰ１００はプロセッサＰ１０５を含む。例えば、プロセッサＰ１０５は、１つ又は複数のインテル（Ｉｎｔｅｌ）（登録商標）マイクロプロセッサによって実装することができる。無論、他のファミリーの他のプロセッサも適当である。
【００５５】
[0050]プロセッサＰ１０５は、バスＰ１２５を介して、揮発性メモリＰ１１５及び不揮発性メモリＰ１２０を含むメインメモリと通信状態にある。揮発性メモリＰ１１５は、同期動的ランダムアクセスメモリ（ＳＤＲＡＭ）、動的ランダムアクセスメモリ（ＤＲＡＭ）、ＲＡＭＢＵＳ動的ランダムアクセスメモリ（ＲＤＲＡＭ）、及び／又は任意の他種のランダムアクセスメモリ装置によって実装することができる。不揮発性メモリＰ１２０は、フラッシュメモリ及び／又は他の所望種類のメモリ装置で実装することができる。メインメモリＰ１１５、Ｐ１２０へのアクセスは、通例メモリコントローラによって制御される。
【００５６】
[0051]コンピュータＰ１００はインタフェース回路Ｐ１３０も含む。インタフェース回路Ｐ１３０は、イーサネットインタフェース、ユニバーサルシリアルバス（ＵＳＢ）、及び／又はＰＣＩ  ｅｘｐｒｅｓｓインタフェースなど、任意種類のインタフェース標準により実装することができる。
【００５７】
[0052]１つ又は複数の入力装置Ｐ１３５がインタフェース回路Ｐ１３０に接続される。入力装置Ｐ１３５（複数可）でユーザはデータ及びコマンドをプロセッサＰ１０５に入力することができる。入力装置（複数可）は、例えば、キーボード、マウス、タッチスクリーン、トラックバッド、トラックボール、アイソポイント、及び／又は音声認識システムで実装することができる。
【００５８】
[0053]１つ又は複数の出力装置Ｐ１４０もインタフェース回路Ｐ１３０に接続される。出力装置Ｐ１４０は、例えば、表示装置（例えば液晶ディスプレイや陰極管ディスプレイ（ＣＲＴ））で実装することができる。したがって、インタフェース回路Ｐ１３０は、通例グラフィックドライバカードを含む。
【００５９】
[0054]インタフェース回路Ｐ１３０は、ネットワーク（例えばイーサネット接続、デジタル加入者回線（ＤＳＬ）、電話線、同軸ケーブル、セルラ電話システム等）を介して外部コンピュータとのデータ交換を容易にするモデムやネットワークインタフェースカードなどの通信装置も含む。
【００６０】
[0055]コンピュータＰ１００は、ソフトウェア及びデータを記憶するための１つ又は複数の大容量記憶装置Ｐ１５０も含む。そのような大容量記憶装置Ｐ１５０の例には、フロッピーディスクドライブ、ハードドライブディスク、コンパクトディスクドライブ、及びデジタル多用途ディスク（ＤＶＤ）ドライブがある。
【００６１】
[0056]図５〜８の符号化命令は、大容量記憶装置Ｐ１５０、揮発性メモリＰ１１０、不揮発性メモリＰ１１２、及び／又はＣＤやＤＶＤなどの取り外し可能記憶媒体に記憶することができる。
【００６２】
[0057]前述から、開示された方法、装置、システム及び／又は製造品は、モバイル機器が、計測組織によって運営されるウェブサイトを介して個人情報と人口学的情報を提供する際に候補パネリストが容易に分かる情報である自分の電話番号を判定することを可能にすることが理解されよう。ＩＭＥＩ番号やＥＳＮなど、モバイル機器の他の一意の識別番号も利用できるが、そのような識別番号は手作業で候補パネリストから取得するのが面倒であり、また後に新しいモバイル機器、及び／又は代替のモバイル機器が入手された場合にはパネリストに追従しない。
【００６３】
[0058]本明細書には特定の例示的方法、装置及び製造品を記載したが、本特許の包含範囲はそれらに限定されない。反対に、本特許は、本特許の特許請求の範囲に公正に該当するすべての方法、装置、及び製造品を包含する。
【符号の説明】
【００６４】
１００  モバイル機器
１０２  ハードウェア
１０４  ＯＳ
１０６  コア層
１０８  パブリック層
２００  システム
２０２  ＯＤＭサーバ
２０４  ネットワーク
２０６  ワイヤレス基幹設備
２０８  モバイル機器
２１０  登録サーバ
２１２  ＯＤＭサーバマネジャ
２１４  識別（ＩＤ）ジェネレータ
２１６  サーバＵＲＩジェネレータ
２１８  サーバＳＭＳジェネレータ
２２２  ＯＤＭアプリケーション
２２４  インストールメッセージパーサ
２２６  ブラウザマネジャ
２２８  モバイルメッセージジェネレータ
２３０  モバイルＵＲＩジェネレータ
３０２  ブラウザ
４０４  ワイヤレス機器
４０６  ワイヤレス機器
４１１  ＩＤ対
４１８  ＩＤ対
Ｐ１００  例示的コンピュータ
Ｐ１０５  プロセッサ
【図４】
2012249289.tif 000003
【図５】
2012249289.tif 000004
【図６】
2012249289.tif 000005
【図７】
2012249289.tif 000006
【図８】
2012249289.tif 000007
【図９】
2012249289.tif 000008
【図１】
2012249289.tif 000009
【図２】
2012249289.tif 000010
【図３】
2012249289.tif 000011
【外国語明細書】
2012249289000001.pdf